(57)【要約】【課題】打ち込む石膏ボ−ド等が厚い場合、すなわちその厚さが１２．５ｍｍを超える場合や、石膏ボード等の厚みが違っても、石膏ボード等の厚みに関係なく確実にブレードが拡開し、石膏ボ−ド等に確りと固着できるボード用アンカーを提供する。【解決手段】矢尻状のブレード１を二つ重ねにしたものとし、その上端に頭部２を設けたものとすると共に、締結ねじＳｃを螺着させるための螺旋部３を前記ブレード１に設けたものとし、各ブレード１を二つ重ねにすることにより締結ねじＳｃがねじ込まれる螺旋孔４が形成されるようにし、前記ブレード１における螺旋部３の下方には、それぞれ締結ねじＳｃのねじ溝に噛み合う複数個の突出片５を縦列して設けたものとしている。【選択図】図７
2015194202.tif 000002
【特許請求の範囲】
【請求項１】
矢尻状のブレード（１）を二つ重ねにしたものとし、その上端に頭部（２）を設けたものとすると共に、締結ねじ（Ｓｃ）を螺着させるための螺旋部（３）を前記ブレード（１）に設けたものとし、各ブレード（１）を二つ重ねにすることにより締結ねじ（Ｓｃ）がねじ込まれる螺旋孔（４）が形成されるようにし、前記ブレード（１）における螺旋部（３）の下方には、それぞれ締結ねじ（Ｓｃ）のねじ溝に噛み合う複数個の突出片（５）を縦列して設けたことを特徴とするボード用アンカー。
【請求項２】
前記螺旋部（３）を、締結ねじ（Ｓｃ）のねじ山が二つ以上飛ばしてねじ込めるように適宜の間隔（ｉ）をおいて設けたことを特徴とする請求項１記載のボード用アンカー。
【請求項３】
前記螺旋部（３）の始点を、前記ブレード（１）の上端から締結ねじ（Ｓｃ）のねじ山が三個以上、入る空間（ｓ）をおいて設けたことを特徴とする請求項１記載のボード用アンカー。
【請求項４】
前記突出片（５）を、前記螺旋部（３）の下方に設けたものほど大きく突出したものとしたことを特徴とする請求項１記載のボード用アンカー。
【発明の詳細な説明】
【技術分野】
【０００１】
この発明は、石膏ボード等からなる脆い壁面に、ハンガーフック、ブラケット、分電盤、照明器具等を確りと固着できるボード用アンカーに関するものである。
【背景技術】
【０００２】
従来、この種のボード用アンカーとしては、例えば図１１、１２に示したように、薄い金属板から打ち抜かれた二つが連なる矢尻状のブレード１１を、中央の小さな接続部１１ａで折り曲げて二つ重ねにしたものとし、プレス成形時に、ラグスクリュー等の締結ねじＳｃを螺着させるための螺旋部１２の前半部１２ａおよび後半部１２ｂを前記ブレード１１に成形したものとしている。そして、各ブレード１１を二つ重ねにしたときには締結ねじＳｃがねじ込まれる螺旋孔１３が形づくられるようにしている。さらに、前記螺旋部１２の前半部１２ａおよび後半部１２ｂの下方には、締結ねじＳｃのねじ溝に噛み合う突出片１４ａ、１４ｂを設けたものとしている（特許文献１）。
【０００３】
このようにした従来のボード用アンカーを使用するには、図１３に示したように、石膏ボードＢｏの所定位置に望ませ、ハンマー等により頭の部分１５の打面を叩いて、打面下側をボード面に近接させる。そして、石膏ボードＢｏに取りつけたいブラケットＢｒの通孔ｈに締結ねじＳｃを通し、そのねじ山を螺旋孔１３に噛ませる。締結ねじＳｃをさらに螺進させると、ねじ足が二つ重ねのブレード１１に割り込み、締結ねじＳｃのねじ溝に突出片１４ａ、１４ｂが噛み合い、図１４に示したように、石膏ボードＢｏから突き抜けているブレード１１、１１を開脚する。ブレード１１、１１を開脚すれば、アンカーは石膏ボードＢｏから抜けることなく固着される。そして、ブラケットＢｒに目的物のプレートＰｒなどをボルト・ナット１５で固着すれば、石膏ボードに目的物を緩むことなく固着できるとしている。
【０００４】
さらに、従来のこの種のボード用アンカーとしては、例えば図１５、１６に示したように、シートメタルブランクを、成形し、折り曲げることにより、ねじをねじ込み可能に収容するための中心穴２１ａを設けた頭部２１と、中心穴２１ａに整列して頭部２１から延在し、壁Ｗを貫通するように先端の尖った三角形の部分を終端とする並置された平板状のブレード２２、２３を形成してなるものとしている。そして、ブレード２２、２３にはそれぞれ中間部のずらした位置に突出片２４、２５が設けられたものとしている（特許文献２）。
【０００５】
このようにした従来のボード用アンカーは、図１７に示したように、壁Ｗに打ち込まれてその頭部２１が壁Ｗの外表面に押し当てられる。そして、図１８に示したように、据え付け用の穴を有する取付器具２６を、アンカーを取り付ける中空の壁Ｗの外表面に接して支持する場合には、締結ねじＳｃを取付器具２６の据え付け用の穴から挿入して、壁Ｗの外表面に押し当てられているアンカーの頭部２１の中心穴２１ａに入れる。頭部２１の中心穴２１ａにねじ込み可能に収容された締結ねじＳｃを回転すると、締結ねじＳｃはブレード２２、２３の間を前進し、これらを離間させる。そこで、ブレード２２、２３上の突出片２４および２５は締結ねじＳｃのねじ溝に噛み合う。その結果、ブレード２２、２３は締結ねじＳｃとの組み合せにより機械的トラス構造を形成するとしている。
【先行技術文献】
【特許文献】
【０００６】
【特許文献１】意匠登録第１３９０６１３号公報
【特許文献２】特開平９−２５９１５号公報
【発明の概要】
【発明が解決しようとする課題】
【０００７】
上記従来のボード用アンカーでは、打ち込む石膏ボ−ド等が薄い場合、すなわちその厚さが１２．５ｍｍ以下であれば、ブレードの突出片が、ねじ込んだ締結ねじのねじ溝に噛み合って、ブレードを拡開することができ、このブレードが石膏ボ−ド等の外に突出するので確りと固着できる。
【０００８】
ところで、石膏ボ−ドのＪＩＳ規格製品として、普通硬質石膏ボ−ドは、一般的に厚さが９. ５ｍｍ、１２. ５ｍｍ、１５. ０ｍｍ等としたものが存在し、強化石膏ボ−ドは、一般的に厚さが１２. ５ｍｍ、１５. ０ｍｍ、１６. ０ｍｍ、１８. ０ｍｍ、２１. ０ｍｍ、２５. ０ｍｍ等としたものが存在し、一般的に石膏ボードは１２．５ｍｍ、１５．０ｍｍが多く使用されている。また、近年、防音性を高める目的で石膏ボードを二枚貼り合わせる施工が増加している。
【０００９】
したがって、前記普通硬質石膏ボ−ドを壁面等として一枚用いた場合や、前記強化石膏ボ−ドの厚さが１２．５ｍｍ以下のものを壁面等として一枚用いた場合には、ブレードの突出片が、ねじ込んだ締結ねじのねじ溝に噛み合って、ブレードを拡開し、このブレードが石膏ボ−ドの外に突出するので、ボード用アンカーを石膏ボ−ドに確りと固着するには問題ない。
【００１０】
しかしながら、普通硬質石膏ボ−ドを壁面等として二枚用いた場合や、強化石膏ボ−ドの厚さが１２．５ｍｍを超えるものを壁面等として一枚用いた場合や、強化石膏ボ−ドを壁面等として二枚用いた場合には、ブレードの突出片が、ねじ込んだ締結ねじのねじ溝に噛み合っても、石膏ボ−ドの圧力でブレードが拡開しないため、ボード用アンカーを石膏ボ−ドに確りと固着できない問題を有していた。
【００１１】
さらに、使用可能な石膏ボードの厚みが９．５ｍｍと１２．５ｍｍのみであり、１５．０ｍｍ以上の厚みには使用できないため、１５．０ｍｍ以上の石膏ボードには他形状の施工方法が異なるアンカーを使うことになり、石膏ボードの厚みによってアンカーを使い分けなければならず、数種類のアンカーと、そのアンカーに対応した数種類のねじを作業現場に持ち込み、石膏ボードの厚みによって、使用するアンカーを決定し、そのアンカーに合わせて施工する必要があった。
【００１２】
そこで、この発明は、上記従来のボード用アンカーの問題点を解決することを目的としており、打ち込む石膏ボ−ド等が厚い場合、すなわちその厚さが１２．５ｍｍを超える場合や、石膏ボード等の厚みが違っても、石膏ボード等の厚みに関係なく確実にブレードが拡開し、石膏ボ−ド等に確りと固着できるボード用アンカーを提供することを目的としてなされたものである。
【課題を解決するための手段】
【００１３】
そのため、この発明のボード用アンカーは、矢尻状のブレード１を二つ重ねにしたものとし、その上端に頭部２を設けたものとすると共に、締結ねじＳｃを螺着させるための螺旋部３を前記ブレード１に設けたものとし、各ブレード１を二つ重ねにすることにより締結ねじＳｃがねじ込まれる螺旋孔４が形成されるようにし、前記ブレード１における螺旋部３の下方には、それぞれ締結ねじＳｃのねじ溝に噛み合う複数個の突出片５を縦列して設けたものとしている。
【００１４】
そして、この発明のボード用アンカーは、前記螺旋部３を、締結ねじＳｃのねじ山が二つ以上飛ばしてねじ込めるように適宜の間隔ｉをおいて設けたものとしている。
【００１５】
さらに、この発明のボード用アンカーは、前記螺旋部３の始点を、前記ブレード１の上端から締結ねじＳｃのねじ山が三個以上、入る空間ｓをおいて設けたものとしている。
【００１６】
また、この発明のボード用アンカーは、前記突出片５を、前記螺旋部３のより下方に設けたものほど大きく突出したものとしている。
【発明の効果】
【００１７】
この発明のボード用アンカーは、以上に述べたように構成されており、打ち込む石膏ボ−ド等が薄い場合、すなわちその厚さが１２．５ｍｍ以下であれば、従来のボード用アンカーと同様に、各ブレード１の最初の突出片５が、ねじ込んだ締結ねじＳｃのねじ溝に噛み合って、各ブレード１が確実に拡開でき、石膏ボ−ド等に確りと固着できるものとなる。
【００１８】
そして、この発明のボード用アンカーは、石膏ボ−ド等が厚い場合、すなわちその厚さが１５. ０ｍｍを超える場合であっても、各ブレード１の複数個の縦列した突出片５が、ねじ込んだ締結ねじＳｃのねじ溝に噛み合って、各ブレード１が確実に拡開するので、石膏ボ−ド等に確りと固着できるものとなる。
【００１９】
さらに、この発明のボード用アンカーは、前記螺旋部３を、締結ねじＳｃのねじ山が二つ以上飛ばしてねじ込めるように適宜の間隔ｉをおいて設けたものでは、各ブレード１への締結ねじＳｃのねじ溝の噛み合いが減り、各ブレード１に強いトルクが掛からないものとなり、各ブレード１の締結ねじＳｃのねじ込みによる石膏ボード等の破損、損傷などが起こらないものとなる。
【００２０】
また、この発明のボード用アンカーは、前記螺旋部３の始点を、前記ブレード１の上端から締結ねじＳｃのねじ山が三個以上、入る空間ｓをおいて設けたものでは、螺旋孔４に締結ねじＳｃを真っ直ぐに立て易くねじ込めるようになり、斜めにねじ込まれてしまうようなことはないものとなる。
【００２１】
さらに、この発明のボード用アンカーは、前記突出片５を、前記螺旋部３のより下方に設けたものほど大きく突出したものでは、より効果的に各ブレード１が確実に拡開するので、ボード用アンカーを石膏ボ−ド等に確りと固着できるものとなる。
【図面の簡単な説明】
【００２２】
【図１】この発明のボード用アンカーの正面側から見た状態の斜視図である。
【図２】この発明のボード用アンカーの背面側から見た状態の斜視図である。
【図３】この発明のボード用アンカーの正面図である。
【図４】この発明のボード用アンカーの側面図である。
【図５】この発明のボード用アンカーの平面図である。
【図６】この発明のボード用アンカーの底面図である。
【図７】この発明のボード用アンカーに締結ねじをねじ込んで、各ブレードを拡開した状態の斜視図である。
【図８】この発明のボード用アンカーが２５. ０ｍｍの石膏ボードに打ち込まれた状態の断面図である。
【図９】図８に示すこの発明のボード用アンカーに締結ねじをねじ込んで、各ブレードを拡開した状態の断面図である。
【図１０】この発明のボード用アンカーが３０. ０ｍｍの石膏ボードに打ち込まれ、さらに締結ねじをねじ込んで、各ブレードを拡開した状態の断面図である。
【図１１】従来のボード用アンカーの一例の正面図である。
【図１２】図１１に示す従来のボード用アンカーの側面図である。
【図１３】図１１に示す従来のボード用アンカーが石膏ボードに打ち込まれた状態の断面図である。
【図１４】図１３に示す従来のボード用アンカーに締結ねじをねじ込んで、各ブレードを拡開した状態の断面図である。
【図１５】従来のボード用アンカーの他例の斜視図である。
【図１６】図１５に示す従来のボード用アンカーの側面図である。
【図１７】図１５示す従来のボード用アンカーが石膏ボードに打ち込まれた状態の断面図である。
【図１８】図１７に示すこの発明のボード用アンカーに締結ねじをねじ込んで、各ブレードを拡開した状態の断面図である。
【発明を実施するための形態】
【００２３】
以下、この発明のボード用アンカーを実施するための形態を、図面に基づいて詳細に説明する。
【００２４】
この発明のボード用アンカーは、金属板を打ち抜いて二つを連ねた矢尻状のブレード１を、中央の接続部１ａで折り曲げ、一端の係止部１ｂを折り曲げて、この係止部１ｂを他端に係止することにより二つ重ねにしたものとし、プレス成形時に、各ブレード１の上端を外方に折り曲げる等して、その上端に頭部２を成形して設けたものとすると共に、ラグスクリュー等の締結ねじＳｃを螺着させるための螺旋部３の前半部３ａおよび後半部３ｂを前記ブレード１に成形して設けたものとしている。なお、前記接続部１ａ及び係止部１ｂは、図示したものでは、上下方向に二個ずつ設けたものとしているが、ブレード１の長さに応じてそれぞれ一個ずつ設けたものとしても、三個以上ずつ設けたものとしてもよい。
【００２５】
そして、この発明のボード用アンカーは、各ブレード１を二つ重ねにしたときには締結ねじＳｃがねじ込まれる螺旋孔４が形成されるようにしている。さらに、前記各ブレード１における螺旋部３の下方には、それぞれ締結ねじＳｃのねじ溝に噛み合う複数個の突出片５を縦列して設けたものとしている。
【００２６】
前記ブレード１は、厚い石膏ボ−ドＢｏからなる壁（厚さが１５. ０ｍｍ超過）や非常に厚い石膏ボ−ドＢｏからなる壁（厚さが３０. ０ｍｍ程度）等に使用するには、長さを４０〜６０ｍｍ程度、幅を７〜１５ｍｍ程度にするのが、その壁等に打ち込み易いものとなり好ましい。このブレード１の長さの半分程度の位置まで前記螺旋部３が設けられており、ブレード１の下端を先の尖った三角形状としている。
【００２７】
前記頭部２は、締結ねじＳｃの頭部と同一形状とするか、少し大きめの形状に形成しており、ねじ込んだ締結ねじＳｃの頭部と当接したときに、この締結ねじＳｃの頭部から食み出たり、余り食み出ないようにして、目立たないようにしている。
【００２８】
前記螺旋部３は、締結ねじＳｃのねじ山が二つ以上飛ばしてねじ込めるように適宜の間隔ｉをおいて設けたものとしている。このようにすると、各ブレード１の螺旋部３への締結ねじＳｃのねじ溝の噛み合いが減り、各ブレード１に強いトルクが掛からないものとなって、各ブレード１の締結ねじＳｃのねじ込みによる石膏ボード等の破損、損傷などが起こらないものとなる。
【００２９】
さらに、前記螺旋部３は、その始点をブレード１の上端から、締結ねじＳｃのねじ山が三個以上、入る空間ｓをおいて設けたものとしている。このようにすると、螺旋孔４に締結ねじＳｃの下端が余裕を持って差し込まれ、その螺旋孔４に締結ねじＳｃを真っ直ぐに立て易くねじ込めるようになり、斜めにねじ込まれてしまうようなことはないものとなる。
【００３０】
前記突出片５は、図示したものでは、ブレード１を打ち抜いて、このブレード１と一体として設けたものとしているが、別の金属板を打ち抜いたものを、ブレード１に溶接するなどして設けたものとしてもよい。
【００３１】
さらに、前記突出片５は、図示したものでは、二個を縦列して設けたものとしているが、必要に応じて三個以上を縦列して設けたものとしてもよい。また、前記突出片５は、螺旋部３のより下方に設けたものほど、大きく突出したものとすることができる。このようにすると、より効果的に各ブレード１が確実に拡開するので、ボード用アンカーを石膏ボ−ド等に確りと固着できる。
【００３２】
以上のように構成されたこの発明のボード用アンカーは、以下のようにして使用することにより、石膏ボ−ドからなる脆い壁面等に、ハンガーフック等の固着物を確りと固着することができる。
【００３３】
先ず、この発明のボード用アンカーを、石膏ボ−ドＢｏからなる脆い壁面等の所定位置に望ませ、ハンマー等により頭部２の上面を叩いて打ち込み、図８に示したように、頭部２の下面を石膏ボ−ドＢｏに当接させる。
【００３４】
次に、前記壁面等に取り付けたいハンガーフック等の固着物Ｗの通孔に締結ねじＳｃを通し、締結ねじＳｃの下端を螺旋孔４に差し込み、螺旋孔４に締結ねじＳｃを真っ直ぐに立て、締結ねじＳｃのねじ山を螺旋部３に噛ませる。
【００３５】
そして、前記締結ねじＳｃを螺旋部３にねじ込んでいくと、締結ねじＳｃのねじ足が二つ重ねのブレード１に割り込み、締結ねじＳｃのねじ溝に、二個の突出片５のうちの最初の突出片５が噛み合い、薄い石膏ボ−ドＢｏの場合には、石膏ボードＢｏから突き抜けている各ブレード１を拡開し、厚い石膏ボ−ドＢｏの場合には、図９に示したように、石膏ボードＢｏに埋もれている部分および石膏ボードＢｏから突き抜けている各ブレード１を拡開する。このように前記各ブレード１を拡開すれば、各ブレード１は石膏ボードＢｏに確りと固着できるので、固着物Ｗも石膏ボードＢｏに確りと固着できることになる。
【００３６】
なお、前記石膏ボードＢｏを二枚重ねにした場合等、非常に厚い石膏ボ−ドＢｏの場合には、各ブレード１の先の部分が石膏ボードＢｏの圧に負けて拡開できないが、このとき図１０に示したように、二個の突出片５のうちの後の突出片５が、締結ねじＳｃの先の部分のねじ溝に噛み合い各ブレード１が確実に拡開できるので石膏ボードＢｏに確りと固着できるので、固着物Ｗも石膏ボードＢｏに確りと固着できることになる。
【００３７】
さらに、この発明のボード用アンカーにおいて、前記突出片５をブレード１に三個以上を縦列して設けたものや、突出片５を螺旋部３のより下方に設けたものほど大きく突出したものでは、前記したような非常に厚い石膏ボ−ドＢｏからなる壁の場合に、より効果的に閉じようとする各ブレード１を拡開したままの状態に維持できる。
【００３８】
したがって、この発明のボード用アンカーは、従来品ではハンガーフック等の固着物を確りと固着しておけなかった石膏ボ−ドの壁面等が厚い場合、すなわちその厚さが１２．５ｍｍを超える場合や、石膏ボード等の厚みが違っても、石膏ボード等の厚みに関係なく、その石膏ボ−ド等の壁面にハンガーフック等の固着物を確りと固着できるものとなった。
【符号の説明】
【００３９】
１  ブレード
２  頭部
３  螺旋部
４  螺旋孔
５  突出片
Ｓｃ  締結ねじ
ｉ  間隔
ｓ  空間
【図１】
2015194202.tif 000003
【図２】
2015194202.tif 000004
【図３】
2015194202.tif 000005
【図４】
2015194202.tif 000006
【図５】
2015194202.tif 000007
【図６】
2015194202.tif 000008
【図７】
2015194202.tif 000009
【図８】
2015194202.tif 000010
【図９】
2015194202.tif 000011
【図１０】
2015194202.tif 000012
【図１１】
2015194202.tif 000013
【図１２】
2015194202.tif 000014
【図１３】
2015194202.tif 000015
【図１４】
2015194202.tif 000016
【図１５】
2015194202.tif 000017
【図１６】
2015194202.tif 000018
【図１７】
2015194202.tif 000019
【図１８】
2015194202.tif 000020